(57)【要約】      （修正有）【課題】外出先でファックスを行ったとしても、送信結果レポートを利用者が受け取りたい場所で取得することができ、ファックスを行った証拠を紙面に残すことが可能な画像送信装置、画像送信システム及び画像送信方法を提供する。【解決手段】情報の送信先である第１の宛先の設定を受け付ける第１宛先設定部３５１と情報の送信結果レポートの出力先である第２の宛先の設定を受け付ける第２宛先設定部３５２と第１の宛先への前記情報の送信と第２の宛先への前記送信結果レポートの出力を制御する制御部３１とを備えた複合機３０を有する画像送信システム。【選択図】図２
2017046131.tif 000002
【特許請求の範囲】
【請求項１】
本体装置で作成した情報の送信先である第１の宛先の設定を受け付ける第１の宛先設定部と、
前記情報の送信結果レポートの出力先である第２の宛先の設定を受け付ける第２の宛先設定部と、
前記第１の宛先への前記情報の送信と、前記第２の宛先への前記送信結果レポートの出力を制御する制御部とを備えること
を特徴とする画像送信装置。
【請求項２】
原稿を読み取る読取部を備え、
前記情報は、前記読取部が前記原稿を読み取ることにより作成した画データであること
を特徴とする請求項１に記載の画像送信装置。
【請求項３】
前記第１の宛先と前記第２の宛先とは電話番号情報であって、
前記制御部は、前記電話番号情報の先頭に所定の識別子が付されたものを前記第２の宛先と判断すること
を特徴とする請求項１又は請求項２に記載の画像送信装置。
【請求項４】
携帯端末と、
前記携帯端末から受信した情報を他装置に送信する画像送信装置とを有する画像送信システムであって、
前記携帯端末は、
作成した情報の送信先である第１の宛先の設定を受け付ける第１の宛先設定部と、
前記情報の送信結果レポートの出力先である第２の宛先の設定を受け付ける第２の宛先設定部とを備え、
前記画像送信装置は、
前記携帯端末から受信した前記第１の宛先への前記情報の送信と、前記第２の宛先への前記送信結果レポートの出力を制御する制御部を備えること
を特徴とする画像送信システム。
【請求項５】
前記携帯端末は、原稿を取り込む取込手段を備え、
前記情報は、前記取込部が前記原稿を取り込むことにより作成した元画データであること
を特徴とする請求項４に記載の画像送信システム。
【請求項６】
前記画像送信装置は、
前記携帯端末から受信した前記元画データを符号化し、画データとして前記第１の宛先に送信すること
を特徴とする請求項４又は請求項５に記載の画像送信システム。
【請求項７】
前記第１の宛先と前記第２の宛先とは電話番号情報であって、
前記制御部は、前記電話番号情報の先頭に所定の識別子が付されたものを前記第２の宛先と判断すること
を特徴とする請求項４乃至請求項６の何れか1項に記載の画像送信システム。
【請求項８】
前記送信結果レポートには、
前記携帯端末を識別するための識別情報が付加されること
を特徴とする請求項４乃至請求項７の何れか１項に記載の画像送信システム。
【請求項９】
前記携帯端末は、
複数の前記第１の宛先と前記第２の宛先との設定を受け付けること
を特徴とする請求項４乃至８の何れか１項に記載の画像送信システム。
【請求項１０】
情報の送信先である第１の宛先の設定を受け付ける第１の宛先設定行程と、
前記情報の送信結果レポートの出力先である第２の宛先の設定を受け付ける第２の宛先設定行程と、
前記第１の宛先への前記情報の送信と、前記第２の宛先への前記送信結果レポートの出力とを制御する制御行程とを備えること
を特徴とする画像送信方法。
【発明の詳細な説明】
【技術分野】
【０００１】
本発明は、画像送信装置、画像送信システム、及び画像送信方法に関するものである。
【背景技術】
【０００２】
図１０に示す従来技術を説明するシステム構成図にあるように、外出先から複合機３を用い、ＰＳＴＮ（Public Switched Telephone Network）７を経由して任意の相手先にある複合機５にファックスすることができる技術が知られている。
【０００３】
携帯端末２の利用者はＬＡＮ（Local Area Network）４上にある複合機３を介して原稿１をファックスし、相手先の複合機５は原稿１に基づく画像を受信画６として出力する。このとき、携帯端末２と複合機３とはＬＡＮ４を介し、ＰＷＧ（Printer Working Group）で制定されるＩＰＰ  ＦＡＸＯｕｔ  Ｓｅｒｖｉｃｅ（PWG 5100.15）によってファックスを実行している。
【０００４】
このようなファックスを行う複合機には、送信結果レポートを出力する機能を備えたものがある。送信結果レポートとは、送信日時、送信宛先、送信結果等から構成されるレポートであり、ファックスを行ったことの証拠となるものである（例えば、特許文献１参照）。
【０００５】
例えば、図１０に示すシステム構成図において、複合機３はファックスを実行した後、送信結果レポート８を出力することが可能となるように構成されている。
【先行技術文献】
【特許文献】
【０００６】
【特許文献１】特開平６−１０５０３３号公報
【発明の概要】
【発明が解決しようとする課題】
【０００７】
しかしながら、従来技術では、外出先において、利用者が送信結果レポートを得るためには、ファックスが完了するまで待つ必要があった。そして、利用者が属する仕事場が送信結果レポートを一元管理するような環境である場合、利用者が外出先で得た送信結果レポートを仕事場まで持ち帰る必要があり、面倒で煩わしい一面があった。
【０００８】
本発明はこのような実情に鑑みてなされたものであり、本発明の課題は、外出先でファックスを行ったとしても、送信結果レポートを利用者が受け取りたい場所で取得することができ、ファックスを行った証拠を紙面に残すことが可能な画像送信装置、画像送信システム、及び画僧送信方法を提供することである。
【課題を解決するための手段】
【０００９】
上記課題を解決するために、本発明に係る画像送信装置は、本体装置で作成した情報の送信先である第１の宛先の設定を受け付ける第１の宛先設定部と、前記情報の送信結果レポートの出力先である第２の宛先の設定を受け付ける第２の宛先設定部と、前記第１の宛先への前記情報の送信と、前記第２の宛先への前記送信結果レポートの出力を制御する制御部とを備えることを特徴としている。
【００１０】
また、本発明に係る画像送信システムは、携帯端末と、前記携帯端末から受信した情報を他装置に送信する画像送信装置とを有する画像送信システムであって、前記携帯端末は、作成した情報の送信先である第１の宛先の設定を受け付ける第１の宛先設定部と、前記情報の送信結果レポートの出力先である第２の宛先の設定を受け付ける第２の宛先設定部とを備え、前記画像送信装置は、前記携帯端末から受信した前記第１の宛先への前記情報の送信と、前記第２の宛先への前記送信結果レポートの出力を制御する制御部を備えることを特徴としている。
【００１１】
さらに、本発明に係る画像送信方法は、情報の送信先である第１の宛先の設定を受け付ける第１の宛先設定行程と、前記情報の送信結果レポートの出力先である第２の宛先の設定を受け付ける第２の宛先設定行程と、前記第１の宛先への前記情報の送信と、前記第２の宛先への前記送信結果レポートの出力とを制御する制御行程とを備えることを特徴としている。
【発明の効果】
【００１２】
本発明によれば、外出先でファックスを行ったとしても、送信結果レポートを利用者が受け取りたい場所で取得することができ、ファックスを行った証拠を紙面に残すことが可能な画像送信装置、画像送信システム、及び画像送信方法を提供することができる。
【図面の簡単な説明】
【００１３】
【図１】本発明に係る複合機と、当該複合機で作成した情報の送信先である第１の宛先としての複合機と、情報の送信結果レポートの出力先である第２の宛先としての複合機との接続関係を説明する図である。
【図２】本発明に係る複合機の機能構成を説明するブロック図である。
【図３】本発明に係る記憶部の構成を説明するブロック図である。
【図４】本発明の動作を説明するフローチャートである。
【図５】本発明に係る宛先設定画面の例を示す図である。
【図６】本発明に係る携帯端末と複合機とからなる画像送信システムのシステム構成例を説明する図であるとともに、携帯端末で作成した情報の送信先である第１の宛先としての複合機と、情報の送信結果レポートの出力先である第２の宛先としての複合機との接続関係を説明する図である。
【図７】本発明の動作を説明するフローチャートである。
【図８】本発明に係る宛先設定画面の例を示す図である。
【図９】本発明に係る送信結果レポートの出力例である。
【図１０】従来技術を説明する図である。
【発明を実施するための形態】
【００１４】
以下、本発明の実施形態について図面を参照して説明する。なお、本発明は以下の記述に限定されるものではなく、本発明の要旨を逸脱しない範囲において適宜変更可能である。
【００１５】
図１は本実施形態に係る画像形成装置としての複合機３０と、当該複合機３０で作成した情報の送信先である第１の宛先としての複合機５０と、情報の送信結果レポートの出力先である第２の宛先としての複合機９０との接続関係を説明する図である。
【００１６】
図１に示すように、複合機３０は、後述する読取部３３で読み取った原稿１０に基づく画データを複合機５０に対してファックスすることが可能であるとともに、当該複合機５０へのファックスの送信結果を送信結果レポート８０として出力することができる。さらに、複合機３０は、画データの送信結果レポートの出力先である複合機９０に対して送信結果レポート１００をファックスすることができるように構成されている。
【００１７】
図２は、本実施形態に係る複合機３０の機能構成を説明するブロック図である。図２に示すように、複合機３０は、制御部３１と、記憶部３２と、読取部３３と、印刷部３４と、操作部３５と、通信部３６と、ネットワーク部３７とを備える。
【００１８】
制御部３１は、例えば、ＣＰＵ（Central Processing Unit）等を備えた制御装置であり、システムバスを介して後述する各部を統括的に制御する。
【００１９】
記憶部３２は、例えば、ＲＯＭ（Read Only Memory）や、ＲＡＭ（Random Access Memory）等を利用した記憶装置であり、制御部３１によって実行されるソフトウェアである各種プログラムを予め格納する。また、記憶部３２は後述する各処理・記憶領域を含み、制御部３１がプログラム実行時に発生するデータを記憶する。
【００２０】
読取部３３は、例えば、ＣＣＤ（Charge Coupled Device）等を利用したスキャナ装置であり、読み取った原稿１０をドットイメージに変換する変換素子を備える。なお、読取部３３にて変換されたドットイメージは、ＦＡＸ規格であるＩＴＵ（International Telecommunications Union）−Ｔ４等などで符号化され画データとして後述する画データ記憶領域３２４に記憶される。
【００２１】
印刷部３４は、例えば、感熱記録方式、電子写真方式等のプリンタ装置であり、受信した画データや画データ記憶領域３２４に記憶された画データをＩＴＵ−Ｔ４等で復号化し、ハードコピーとして出力することができる。
【００２２】
操作部３５は、例えば、ＬＣＤ（Liquid Crystal Display）等の表示装置を備え、複合機３０の装置状態等を表示し、当該複合機３０を操作するために必要なテンキーやスタートキー等を備える。また、操作部３５は、情報としての画データの送信先である第１の宛先（複合機５０）の設定を受け付ける第１宛先設定部３５１と、画データの送信結果レポートの出力先である第２の宛先（複合機９０）の設定を受け付ける第２宛先設定部３５２とを備える。
【００２３】
通信部３６は、ＮＣＵ（Network Control Unit）やモデム等を備えた通信装置であり、電話回線７０との接続を制御し、デジタル信号を伝送路の特性に合わせたアナログ信号に変調して送信するとともに、伝送路からのアナログ信号をデジタル信号に復調して受信する。なお、ファックス通信で交換される画データやファックス信号は、通信部３６を介して授受される。なお、電話回線７０は、前述したＰＳＴＮ７０に相当するものである。
【００２４】
ネットワーク部３７は、ＬＡＮカードやＮＩＣ（Network Interface Card）とも呼ばれ、ＴＣＰ／ＩＰ等のプロトコルを有し、ＬＡＮ４０を介したコンピュータ間のネットワーク通信を行う。
【００２５】
次に、本実施形態に係る記憶部３２の構成について図３のブロック図を用いて説明する。ここで、記憶部３２が備えるネットワーク通信処理領域３２１と、ファックス通信処理領域３２２と、送信結果レポート編集処理領域３２３とは、制御部３１によって実行されるプログラムを記憶する領域である。また、画データ記憶領域３２４と、送信宛先記憶領域３２５と、送信結果レポート送信宛先記憶領域３２６とは制御部３１によるプログラム実行時に発生するデータを記憶する記憶領域である。
【００２６】
制御部３１はネットワーク通信処理領域３２１に記憶されたプログラムを実行することにより、ネットワーク部３７を制御することで、ＬＡＮ４０を介したコンピュータ間のネットワーク通信を行う。
【００２７】
制御部３１はファックス通信処理領域３２２に記憶されたプログラムを実行することにより、通信部３６を制御することで、電話回線７０を介した画データの送信先たる複合機５０や送信結果レポートの送信先たる複合機９０との間におけるファックスを制御する。
【００２８】
制御部３１は送信結果レポート編集処理領域３２３に記憶されたプログラムを実行することにより、送信結果レポートとして出力される出力内容を編集する。
【００２９】
画データ記憶領域３２４は、読取部３３で読み取った原稿１０に基づく画データ並びに送信結果レポートの編集結果を記憶する記憶領域であり、当該画データ記憶部３２４に記憶された画データは複合機５０にファックスされ、送信結果レポートは複合機９０にファックスされることになる。
【００３０】
送信宛先記憶領域３２５は、操作部３５の第１宛先設定部３５１を介して受け付けた画データの送信宛先情報を記憶する記憶領域である。
【００３１】
送信結果レポート送信宛先記憶領域３２６は、操作部３５の第２宛先設定部３５２を介して受け付けた送信結果レポートの送信宛先情報を記憶する記憶領域である。
【００３２】
次に、本実施形態に係る動作について図４のフローチャートを用いて説明する。なお、本動作は送信動作の一部を示し、制御部３１によって実行される。
【００３３】
まず、ステップＳ１０において、制御部３１は第１宛先設定部３５１を介して受け付けた画データの送信宛先情報及び第２宛先設定部３５２を介して受け付けた送信結果レポートの送信宛先情報を取得し、記憶部３２の送信宛先記憶領域３２５及び送信結果レポート送信宛先記憶領域３２６にそれぞれ記憶させる。
【００３４】
ところで、本実施形態においては、第２の宛先たる送信結果レポートの送信宛先情報において、特定の電話番号が指定された場合に、当該送信結果レポートの送信宛先情報として判断する形態について説明する。
【００３５】
以下の説明では、例えば、電話番号情報の先頭に所定の識別子である"＊"が指定された場合において、後続する電話番号は、送信結果レポートの送信宛先情報として判断する形態について説明する。
【００３６】
図５は、操作部３５が備える表示装置３５３に表示させた宛先設定画面３５４の例を示す図である。図５に示すように、利用者は、操作部３５の図示せぬテンキー等を利用し、第１宛先設定部３５１に画データの送信宛先情報として、複合機５０の電話番号である"０３０−ａａａ−ｂｂｂｂ"を入力する。同様に、利用者は、第２宛先設定部３５２に送信結果レポートの送信宛先情報として、複合機９０の電話番号に"＊"を付した"＊０３０−ｃｃｃ−ｄｄｄｄｄ"を入力する。第１宛先設定部３５１及び第２宛先設定部３５２を介してそれぞれ受け付けた送信宛先情報は、制御部３１により記憶部３２の送信宛先記憶領域３２５及び送信結果レポート送信宛先記憶領域３２６のそれぞれに記憶される。
【００３７】
再び、図４に戻り、制御部３１は、通信部３６を制御することにより、画データ記憶部３２４に記憶された画データを送信宛先記憶領域３２５に記憶された宛先（複合機５０）にファックスする（ステップＳ１１）。
【００３８】
制御部３１は、複合機５０に対する全ての画データのファックスが完了するまで処理を繰り返し、これが終了すると（ステップＳ１２  Ｙｅｓ）、送信結果レポート編集処理領域３２３に記憶されたプログラムを実行することにより、送信結果レポートとして出力される出力内容を編集する（ステップＳ１３）。具体的には、制御部３１は、送信結果レポートをドットイメージデータで編集し、ＩＴＵ−Ｔ４等で符号化後、当該送信結果レポートを画データ記憶領域３２４に記憶させる。
【００３９】
そして、制御部３１は、通信部３６を制御することにより、画データ記憶部３２４に記憶された送信結果レポートを送信結果レポート送信宛先記憶領域３２６に記憶された宛先（複合機９０）にファックスする（ステップＳ１４）。
【００４０】
次に、外出先の利用者が利用する携帯端末２０と複合機３０'とからなる画像送信システムの形態について説明する。
【００４１】
図６は、携帯端末２０と複合機３０'とからなる画像送信システム２００のシステム構成例を説明する図であるとともに、携帯端末２０で作成した情報の送信先である第１の宛先としての複合機５０と、情報の送信結果レポートの出力先である第２の宛先としての複合機９０との接続関係を説明する図である。
【００４２】
図６に示すように、携帯端末２０の利用者は、外出先からＬＡＮ４０上にある複合機３０'を用いてＰＳＴＮ７０を経由して任意の相手先である複合機５０にファックスすることができる。
【００４３】
このとき、携帯端末２０は原稿１０を撮像装置等の取込手段を用いて元画データとして取り込み、ＬＡＮ４０を介して複合機３０'に送信する。複合機３０'は、受信した元画データに基づく画データを複合機５０に対してファックスすることが可能であるとともに、当該複合機５０へのファックスの送信結果を送信結果レポート８０として出力することができる。さらに、複合機３０'は、画データの送信結果レポートの出力先である複合機９０に対してファックスすることができるように構成されている。
【００４４】
ところで、複合機３０'の構成は前述の複合機３０と略同構成とすることができるため、以下の説明では異なる箇所について説明する。本画像送信システム２００においては、携帯端末２０側において、第１の宛先の設定及び第２の宛先の設定を行う点が複合機３０単体の例とは異なる。したがって、複合機３０'の記憶部３２の送信宛先記憶領域３２５及び送信結果レポート送信宛先記憶領域３２６は、携帯端末２０から送信されたた画データの送信宛先情報及び送信結果レポートの送信宛先情報をそれぞれ記憶するように構成されている。同様に、複合機３０'の記憶部３２の画データ記憶領域３２４は、携帯端末２０から送信された元画データ並びに送信結果レポートの編集結果を記憶する記憶領域として構成されている。
【００４５】
なお、以下の説明では、複合機３０'の制御部３１は、ネットワーク通信処理領域３２１に記憶されたプログラムを実行することにより、ネットワーク部３７を制御することで、ＬＡＮ４０を介した携帯端末２０との間における、ＩＰＰ  ＦａｘＯｕｔ  Ｓｅｒｖｉｃｅ（PWG 5100.15）を実行するものとして説明する。
【００４６】
次に、上記構成を備えた画像送信システム２００の動作について図７のフローチャートを用いて説明する。なお、図４のフローチャートで説明した動作と同一の動作に関しては同一のステップ番号を付する。
【００４７】
まず、ステップＳ１０'において、制御部３１は携帯端末２０から受信した画データの送信宛先情報及び送信結果レポートの送信宛先情報を取得し、記憶部３２の送信宛先記憶領域３２５及び送信結果レポート送信宛先記憶領域３２６にそれぞれ記憶させる。
【００４８】
ここで、携帯端末２０における画データの送信宛先情報及び送信結果レポートの送信宛先情報の設定について説明する。ここで説明する例においても、送信結果レポートの送信宛先情報において、特定の電話番号が指定された場合に、当該送信結果レポートの送信宛先情報として判断する形態について説明する。
【００４９】
図８（ａ）は、携帯端末２０が備える表示画面に表示させた宛先設定画面２１の例を示す図である。図８（ａ）に示すように、利用者は、携帯端末２０の図示せぬテンキー等を利用し、第１宛先設定部２２に画データの送信宛先情報として、複合機５０の電話番号である"０３０−ａａａ−ｂｂｂｂ"を入力する。同様に、利用者は、第２宛先設定部２３に送信結果レポートの送信宛先情報として、複合機９０の電話番号に"＊"を付した"＊０３０−ｃｃｃ−ｄｄｄｄｄ"を入力する。第１宛先設定部２２及び第２宛先設定部２３を介してそれぞれ受け付けた送信宛先情報は複合機３０'に送信され、記憶部３２の送信宛先記憶領域３２５及び送信結果レポート送信宛先記憶領域３２６のそれぞれに記憶される。
【００５０】
なお、ＩＰＰ  ＦａｘＯｕｔ  Ｓｅｒｖｉｃｅ（PWG 5100.15）において、携帯端末２０は、Ｃｒｅａｔｅ−ｊｏｂオペレーションのｄｅｓｔｉｎａｔｉｏｎ−ｕｒｉｓパラメータによって、任意の宛先を複数指定することができるため、画データの送信先又は送信結果レポートの送信先を複数指定することも可能である。
【００５１】
ところで、携帯端末の高機能な表示性能を利用し、画データの送信宛先情報及び送信結果レポートの送信宛先情報の入力を専用のアプリケーションを介して行うことも可能である。図９（ｂ）は、携帯端末２０'が備える表示画面に表示させた専用の宛先設定画面２１'の例を示す図である。図８（ｂ）に示すように、利用者は、携帯端末２０'の図示せぬテンキー等を利用し、第１宛先設定部２２'に画データの送信宛先情報として、複合機５０の電話番号である"０３０−ａａａ−ｂｂｂｂ"を入力する。同様に、利用者は、第２宛先設定部２３'に送信結果レポートの送信宛先情報として、複合機９０の電話番号である"０３０−ｃｃｃ−ｄｄｄｄｄ"を入力する。このように、利用者は＜画データ送信先＞及び＜送信結果レポート送信先＞と記された入力箇所に所望の電話番号を入力することで、簡便に画データの送信宛先情報及び送信結果レポートの送信宛先情報の設定を行うことができる。
【００５２】
再び、図７に戻り、宛先情報を取得した制御部３１は、ネットワーク部３７を制御することにより、携帯端末２０から受信した元画データを記憶部３２の画データ記憶領域３２４に記憶させる（ステップＳ１５）。
【００５３】
全ての元画データの受信が完了すると（ステップＳ１６  Ｙｅｓ）、制御部３１は、画データ記憶領域３１に記憶された元画データをＩＴＵ−Ｔ．４等で符号化後、画データとして送信宛先記憶領域３２５に記憶された宛先（複合機５０）にファックスする（ステップＳ１１）。
【００５４】
制御部３１は、複合機５０に対する全ての画データのファックスが完了するまで処理を繰り返し、これが終了すると（ステップＳ１２  Ｙｅｓ）、携帯端末２０から送信結果レポートの送信宛先情報を受信していたか否かを判断する。送信結果レポートの送信宛先情報が送信結果レポート送信宛先記憶領域３２６に記憶されていた場合（ステップＳ１７  Ｙｅｓ）、制御部３１は、送信結果レポート編集処理領域３２３に記憶されたプログラムを実行することにより、送信結果レポートとして出力される出力内容を編集する（ステップＳ１３）。具体的には、制御部３１は、送信結果レポートをドットイメージデータで編集し、ＩＴＵ−Ｔ．４等で符号化後、当該送信結果レポートを画データ記憶領域３２４に記憶させる。
【００５５】
そして、制御部３１は、通信部３６を制御することにより、画データ記憶部３２４に記憶された送信結果レポートを送信結果レポート送信宛先記憶領域３２６に記憶された宛先（複合機９０）にファックスする（ステップＳ１４）。
【００５６】
以上のように、本実施形態によれば、外出先でファックスを行ったとしても、送信結果レポートを利用者が受け取りたい場所で取得することができ、ファックスを行った証拠を紙面に残すことが可能となるため、利便性と信頼性との向上が期待される。
【００５７】
また、携帯端末２０を用いた画像送信システム２００の場合において、図９に示す送信結果レポート１００'の例のように、当該送信結果レポート１００'を送信した複合機３０'の電話番号情報１０１（０３０−ｅｅｅ−ｆｆｆｆ）に加え、複合機３０'を介してファックスした携帯端末２０を識別するための識別情報である電話番号情報１０２（携帯端末２０の電話番号（０９０−ｇｇｇ−ｈｈｈｈ））を合わせて送信結果レポート１００'として出力する構成とすることで、何れかの携帯端末２０から画データがファックスされたかを追跡することが可能となる。なお、携帯端末２０を識別する識別情報としては、電話番号情報でなくとも、携帯端末２０特有のコピーマーク等であっても構わない。
【００５８】
さらに、携帯端末２０を用いた画像送信システム２００の場合において、複合機３０'側で行う送信結果レポート編集処理を携帯端末２０側で行い、編集結果を複合機３０'に送信する形態としてもよい。これにより、複合機３０'側での処理負荷を低減させることができる。
【００５９】
さらにまた、前述したように、携帯端末２０は、任意の宛先を複数指定することができ、画データの送信先又は送信結果レポートの送信先を複数指定することも可能であるため、これらの送信先に対して画データ又は送信結果レポートの一括送信も可能である。この場合、携帯端末２０を介して複数指定した送信先のステータス（装置稼働情報等）を事前に取得するように構成することで、稼働している複合機にのみに画データ又は送信結果レポートを選択送信することも可能である。
【００６０】
なお、本実施形態の説明においては、送信結果レポートを指定した複合機にファックスする形態について説明したが、本発明はこれに限定されるものではなく、指定した電子メールアドレスに対して送信結果レポートを送信する形態とすることも可能である。
【００６１】
本発明は、ファックス通信機能を有する情報端末に適用可能である。
【符号の説明】
【００６２】
１０  原稿
２０  携帯端末
３０，３０'  複合機
３１  制御部
３２  記憶部
３２１  ネットワーク通信処理領域
３２２  ファックス通信処理領域
３２３  送信結果レポート編集処理領域
３２４  画データ記憶領域
３２５  送信宛先記憶領域
３２６  送信結果レポート送信宛先記憶領域
３３  読取部
３４  印刷部
３５  操作部
３５１  第１宛先設定部
３５２  第２宛先設定部
３６  通信部
３７  ネットワーク部
４０  ＬＡＮ
５０  複合機
６０  受信画
７０  電話回線（ＰＳＴＮ）
８０  送信結果レポート
９０  複合機
１００，１０１'  送信結果レポート
２００  画像送信システム
【図１】
2017046131.tif 000003
【図２】
2017046131.tif 000004
【図３】
2017046131.tif 000005
【図４】
2017046131.tif 000006
【図５】
2017046131.tif 000007
【図６】
2017046131.tif 000008
【図７】
2017046131.tif 000009
【図８】
2017046131.tif 000010
【図９】
2017046131.tif 000011
【図１０】
2017046131.tif 000012